(57)【要約】【課題】メンテナンス作業が容易なセンサ部を有する洗面化粧台を提供すること。【解決手段】物体の近接及び動きを検知するセンサ部４２を有する照明装置４と、照明装置４が取り付けられるキャビネット本体３と、を備えるミラーキャビネット１であって、センサ部４２は、キャビネット本体３に取り付けられるセンサベース４５と、センサベース４５に着脱可能なケーシング４４と、センサベース４５及びケーシング４４を互いに係合させる係合部４００と、を有するミラーキャビネット１である。【選択図】図８
2018089181.tif 000002
【特許請求の範囲】
【請求項１】
物体の近接及び動きを検知するセンサ部を有する照明装置と、
前記照明装置が取り付けられるキャビネット本体と、を備えるミラーキャビネットであって、
前記センサ部は、
前記キャビネット本体に取り付けられるセンサベースと、
前記センサベースに着脱可能なケーシングと、
前記センサベース及び前記ケーシングを互いに係合させる係合部と、を有するミラーキャビネット。
【請求項２】
前記係合部は、
前記ケーシングに設けられ、前記センサベースに係合可能な爪部と、
前記センサベースに形成され、前記爪部が係合する爪係合凹部と、により構成される請求項１に記載のミラーキャビネット。
【請求項３】
前記センサベースが取り付けられる前記キャビネット本体の取り付け面は、略水平面又は略鉛直面である請求項１又は２に記載のミラーキャビネット。
【請求項４】
前記取り付け面には、前記照明装置の配線が挿通される挿通孔が形成され、
前記センサベースは、前記配線が挿通される貫通孔が形成された本体部と、前記本体部から突出する突起部と、を有し、
前記突起部は、前記センサベースが前記取り付け面に取り付けられた状態で前記挿通孔内に収容され、且つ、前記配線の端子を仮固定可能な仮固定部を有する請求項３に記載のミラーキャビネット。
【請求項５】
前記本体部は、板状に形成され、前記ケーシング側の面には前記キャビネット本体側に凹む凹部が形成され、
前記突起部は、前記凹部における前記キャビネット本体側に配置される請求項４記載のミラーキャビネット。
【請求項６】
前記センサベース及び前記ケーシングは、弾性変形可能な部材で構成され、
前記ケーシングの内側縁を前記センサベースの外側縁に沿ってスライドさせることで、前記ケーシングが前記センサベースに係合する請求項１〜３いずれか１項に記載のミラーキャビネット。
【発明の詳細な説明】
【技術分野】
【０００１】
本発明は、ミラーキャビネットに関する。
【背景技術】
【０００２】
従来、洗面化粧台等において、ミラー部の設けられた収納棚であるミラーキャビネットが設けられている。このミラーキャビネットに、照明装置と、人間等の物体が近づいたことを検知するセンサ部とを設け、非接触でミラー部の周囲に配置した照明装置の点灯等の制御を行うものが提案されている。センサ部は、ミラーキャビネットの上部に取り付けられている（例えば、特許文献１参照）。
【先行技術文献】
【特許文献】
【０００３】
【特許文献１】特開２０１３−２５５６８７号公報
【発明の概要】
【発明が解決しようとする課題】
【０００４】
センサ部を、ねじ等の締結部材によってミラーキャビネットに固定した場合、センサ部が故障した場合に交換する際に対応した工具が必要になり、交換等のメンテナンス作業が容易でないという問題があった。
【０００５】
本発明は、メンテナンス作業が容易なセンサ部を有するミラーキャビネットを提供することを目的とする。
【課題を解決するための手段】
【０００６】
上記目的を達成するため本発明は、物体の近接及び動きを検知するセンサ部（例えば、後述のセンサ部４２）を有する照明装置（例えば、後述の照明装置４）と、前記照明装置が取り付けられるキャビネット本体（例えば、後述のキャビネット本体３）と、を備えるミラーキャビネット（例えば、後述のミラーキャビネット１）であって、前記センサ部は、前記キャビネット本体に取り付けられるセンサベース（例えば、後述のセンサベース４５）と、前記センサベースに着脱可能なケーシング（例えば、後述のケーシング４４）と、前記センサベース及び前記ケーシングを互いに係合させる係合部（例えば、後述の係合部４００）と、を有するミラーキャビネットを提供する。
【０００７】
また、前記係合部は、前記ケーシングに設けられ、前記センサベースに係合可能な爪部（例えば、後述の爪部４４１）と、前記センサベースに形成され、前記爪部が係合する爪係合凹部（例えば、後述の爪係合凹部４５６）と、により構成されることが好ましい。
【０００８】
また、前記センサベースが取り付けられる前記キャビネット本体の取り付け面は、略水平面又は略鉛直面であることが好ましい。
【０００９】
また、前記取り付け面（例えば、後述の底面部３３）には、前記照明装置の配線（例えば、後述の配線４３２）が挿通される挿通孔（例えば、後述の挿通孔３３１）が形成され、前記センサベースは、前記配線が挿通される貫通孔（例えば、後述の貫通孔４５１）が形成された本体部（例えば、後述の本体部４５０）と、前記本体部から突出する突起部（例えば、後述の突起部４５３）と、を有し、前記突起部は、前記センサベースが前記取り付け面に取り付けられた状態で前記挿通孔内に収容され、且つ、前記配線の端子を仮固定可能な仮固定部（例えば、後述の仮固定部４５４）を有することが好ましい。
【００１０】
また、前記本体部は、板状に形成され、前記ケーシング側の面には前記キャビネット本体側に凹む凹部（例えば、後述のベース凹部４５５）が形成され、前記突起部は、前記凹部における前記キャビネット本体側に配置されることが好ましい。
【００１１】
また、前記センサベース及び前記ケーシングは、弾性変形可能な部材で構成され、
前記ケーシングの内側縁を前記センサベースの外側縁に沿ってスライドさせることで、前記ケーシングが前記センサベースに係合することが好ましい。
【発明の効果】
【００１２】
本発明によれば、メンテナンス作業が容易なセンサ部を有するミラーキャビネットを提供することができる。
【図面の簡単な説明】
【００１３】
【図１】本実施形態のミラーキャビネットを示す正面側斜視図である。
【図２】本実施形態のミラーキャビネットの斜視図である。
【図３】図１のＡ−Ａ断面図である。
【図４】本実施形態のセンサ部の斜視図である。
【図５】本実施形態のセンサベースの上面の斜視図である。
【図６】本実施形態のセンサベース下面の斜視図である。
【図７】本実施形態のセンサ部を取り付けた状態を説明する説明図である。
【図８】本実施形態のセンサ部付近の分解斜視図である。
【発明を実施するための形態】
【００１４】
図１は、本実施形態に係るミラーキャビネット１が設けられた洗面化粧台１００の正面側斜視図である。洗面化粧台１００は、ミラーキャビネット１と、洗面カウンター７と、下部キャビネット８と、を有する。
洗面カウンター７は、上部が開口して水を受ける凹部を有する洗面ボウル７１と、洗面ボウル７１が配置されるカウンター部７２と、水栓７３とを有する。
下部キャビネット８は、洗面カウンター７の下部に配置される。下部キャビネット８は、水栓７３及び洗面ボウル７１の排水口から延びる配管を収納するとともに、周囲に収納空間を有する。
【００１５】
図２は、ミラーキャビネット１の斜視図である。
ミラーキャビネット１は、図２に示すように、洗面化粧台１００の洗面ボウル７１の奥側で洗面ボウル７１よりも上部に配置される鏡付きの収納部である。ミラーキャビネット１は、ミラー部２と、キャビネット本体３と、照明装置４と、表示板５と、を有する。
【００１６】
ミラー部２は、ミラーキャビネット１の前面に配置され、長方形の鏡が三枚連続して形成される三面鏡である。ミラー部２は、ミラーキャビネット１における開閉可能な扉として機能する。ミラー部２は、第１ミラー扉２１、第２ミラー扉２２及び第３ミラー扉２３と、を有する。
第１ミラー扉２１は、幅方向の中央に配置され、三枚のうち最も面積の広い鏡である。
第２ミラー扉２２及び第３ミラー扉２３は、第１ミラー扉２１の左右方向両側にそれぞれ配置され、第１ミラー扉２１の幅よりも狭い。第１ミラー扉２１、第２ミラー扉２２及び第３ミラー扉２３は、幅方向の一方側にヒンジ部（図示せず）が配置され、ヒンジ部を回転させることで他方側を開閉するように構成されている。
【００１７】
図３は図１のＡ−Ａ断面図である。
キャビネット本体３は、図３に示すように、ミラー部２の裏側に配置され、ミラー部２と対応する寸法を有する収納棚である。キャビネット本体３は、それぞれが板状の部材で構成される背板部３１と、側面部３２と、底面部３３と、天面部３４と、複数の棚板３５と、を有する。また、図１及び図２に示すように、キャビネット本体３は、第１収納棚３１０と、第２収納棚３２０と、第３収納棚３３０と、を有する。
【００１８】
背板部３１は、洗面化粧台１００が配置される空間の壁面に沿って配置され、ミラー部２全体の裏側に位置する。
【００１９】
側面部３２は、ミラー部２の上下方向に全部で四枚配置される。すなわち、側面部３２は、キャビネット本体３の左右方向両端部に位置する外側側面部３２ａ、３２ｄと、第１ミラー扉２１の左右方向両端部に位置し、第１ミラー扉２１と第２ミラー扉２２、及び第１ミラー扉２１と第３ミラー扉２３それぞれの間を区切る仕切り側面部３２ｂ及び３２ｃとを有する。側面部３２ａ〜３２ｄにより、第１ミラー扉２１、第２ミラー扉２２及び第３ミラー扉２３の裏側に、三つに分割された第１収納棚３１０、第２収納棚３２０及び第３収納棚３３０が形成される。
【００２０】
底面部３３は、背板部３１の下端部に配置され、背板部３１から背板部３１に直交する手前方向へ延びる一枚の板材である。底面部３３は、第１ミラー扉２１の下面にのみ配置されており、第２ミラー扉２２及び第３ミラー扉２３の下面には配置されていない。底面部３３は、後述するように、センサ部４２が取り付けられる取り付け面となる。底面部３３には、照明装置４の配線４３２を挿通させる挿通孔３３１が形成される（図８参照）。
挿通孔３３１は、底面部３３の下面から天面部３４側へ略垂直方向に向かって、底面部３３の厚さの１／２程度に延び、そこから屈曲して底面部３３の面方向に沿って背板部３１の方向へ延びるように形成される（図８参照）。
【００２１】
天面部３４は、背板部３１の上端部に配置され、背板部３１から背板部３１に直交する手前方向へ延びる一枚の板面である。
【００２２】
棚板３５は、外側側面部３２ａ、３２ｄ及び仕切り側面部３２ｂ、３２ｃの間に略水平方向に延びるように渡される板材である。棚板３５は、固定されていてもよく、使用者によって任意の位置に配置を変更できるように構成されてもよく、その両方を含む構成であってもよい。
【００２３】
なお、図２に示すように、第三収納棚３３０の下方には、電気機器用の差し込みプラグ穴６（コンセント）が配置されている。
【００２４】
照明装置４は、キャビネット本体３に取り付けられて、ミラー部２を照らす装置である。照明装置４は、上部照明４１０と、縦照明４２０と、を有する。また、照明装置４は、上部照明４１０及び縦照明４２０を発光させる発光部４１と、センサ部４２と、制御部４３とを有する。
【００２５】
上部照明４１０は、図２に示すように、天面部３４における第１ミラー扉２１の上方に配置される。上部照明４１０は、第１ミラー扉２１の鏡面から前方へ突出している。
縦照明４２０は、第１ミラー扉２１、第２ミラー扉２２及び第３ミラー扉２３それぞれの境界に上下方向に延びるように配置される。縦照明４２０は、仕切り側面部３２ｂ、３２ｃに取り付けられる照明カバーの内部に、以下に説明する発光部４１が配置されることで構成される。
【００２６】
発光部４１は、上部照明４１０及び縦照明４２０に配置されるＬＥＤ電球である。発光部４１は、上部照明４１０及び縦照明４２０内に配置された基板に取り付けられる。なお、図３に示すように、発光部４１の電源基板４７は、第１収納棚３１０の内部で、仕切り側面部３２ｂの内側に配置されている。
【００２７】
センサ部４２は、人間等の物体の近接及び動きを検知する赤外線センサである。センサ部４２は、図２に示すように、ミラー部２よりも下方に配置されている。センサ部４２は、第１収納棚３１０の底面部３３で、第１ミラー扉２１の鏡面よりも奥側、すなわち背板部３１側に配置されている。
【００２８】
図３に示すように、センサ部４２は、底面部３３の奥行方向における略中央部から斜め下方を向いて配置されており、検知範囲Ｓ１と、を有する。
検知範囲Ｓ１は、この範囲で使用者が手指をかざすと、センサ部４２が人体等の物体の接近を正常に検知する範囲である。検知範囲Ｓ１は、センサ部４２から円錐状に外側に向かって広がるように設定されており、広範囲にわたっているが、第１ミラー扉２１のミラー部２より前には出過ぎないように設定されている。
【００２９】
図４は、センサ部４２の斜視図である。
センサ部４２は、図４に示すように、センサ本体４３０と、係合部４００と、ケーシング４４と、センサベース４５と、を有する。
センサ本体４３０は、例えば近赤外線反射検出方式の赤外線センサのモジュールである。センサ本体４３０は、センサ部４２の前面（ミラー部２側）に露出している。
【００３０】
ケーシング４４は、略立方体の形状で六面を有するとともに、爪部４４１を有する。ケーシング４４は、樹脂等の弾性変形可能な可撓性を有する部材で構成される。
上面４４ａは、開口しており、内部にセンサ本体４３０や端子４３１ａ、４３１ｂ、配線４３２等を収容可能になっている。上面４４ａは、キャビネット本体３の底面部３３に当接する。
底面４４ｂ、一対の側面４４ｃ、４４ｄの下縁は、図３に示すように、センサ部４２をキャビネット本体３の底面部３３に取り付けた状態で下方から上方へ、手前側から奥側へ向かって上り傾斜するように傾斜している。
前面４４ｅは、後面４４ｆよりも面積が大きく、前面４４ｅにセンサ本体４３０が露出する開口が形成されている。
【００３１】
ケーシング４４は、前面４４ｅ側よりも後面４４ｆ側の方が、高さが低く形成される。すなわち、前面４４ｅと後面４４ｆの上端は、直線上にはなく、後面４４ｆの上端の方が低い位置に形成されている（図７参照）。図示されないが、一対の側面４４ｃ、４４ｄの上端は、前面４４ｅの上端と同一直線上にあり、後面４４ｆのみが低くなっている。後面４４ｆの上端は、以下に説明するセンサベース４５の後端が重なっている。
【００３２】
爪部４４１は、ケーシング４４の側面４４ｃ及び側面４４ｄの上縁側の内側面に、内側へ向かって突出するように四つ形成される。詳細には、爪部４４１は、側面４４ｃ及び側面４４ｄの前側に一対、後ろ側に一対、側面４４ｃ及び側面４４ｄとで互いに対向するように配置される。爪部４１１は、側面４４ｃ及び側面４４ｄの上端の内側面から、上面視略三角形状に突出する。爪部４４１は、以下に説明するセンサベース４５の爪係合凹部４５６に係合し、係合部４００の一方を構成する。
【００３３】
図５はセンサベース４５の上面（キャビネット本体３側の面）図である。
センサベース４５は、底面部３３に固定されてキャビネット本体３に取り付けられる。センサベース４５は、ケーシング４４をスライド可能に係合させる基部となる。センサベース４５は、樹脂等の弾性変形可能な可撓性を有する部材で構成される。図５に示すように、センサベース４５において、センサベース４５が底面部３３に取り付けられた場合に、ミラー部２側を前Ｆ、背板部３１側を後ろＢ、前Ｆから後ろＢを見た場合の一方を左側Ｌ、他方を右側Ｒとする。
【００３４】
センサベース４５は、本体部４５０と、突起部４５３と、を有する。
本体部４５０は、板状に形成される略矩形形状の部材である。本体部４５０は、貫通孔４５１と、一対のねじ留め用孔４５２と、凹部としてのベース凹部４５５（図６参照）と、爪係合凹部４５６と、を有する。
【００３５】
貫通孔４５１は、底面部３３に取り付けた状態で前後方向に延び、センサベース４５の左右方向の略中央部に形成される。貫通孔４５１は、四隅を丸く面取りした略長方形の形状である。貫通孔４５１には、照明装置４の配線４３２が挿通される。
ねじ留め用孔４５２は、貫通孔４５１を挟んで左右方向の一方と他方にそれぞれ形成される。ねじ留め用孔４５２は、貫通孔４５１の前寄りに配置される。
【００３６】
爪係合凹部４５６は、センサベース４５の前後方向に延びる一対の外側縁に形成される四つの凹部である。爪係合凹部４５６は、側縁の前端側に一対、後端側に一対側縁よりわずかに内側に切り欠かれて形成される。爪係合凹部４５６は、ケーシング４４の爪部４４１が係合可能なように爪部４４１の寸法と対応している。また、爪係合凹部４５６の近傍には、爪部４４１がパチンとしまるように、ケーシング４４の爪部４４１の近傍の形状と対応するような凹凸が刻まれている。爪係合凹部４５６は、ケーシング４４の爪部４４１が係合し、係合部４００の他方を構成する。
【００３７】
図６はセンサベース４５の下面（ケーシング４４側の面）図である。
ベース凹部４５５は、図６に示すように、本体部４５０の下面側に形成され、上面側に凹んでいる。ベース凹部４５５は、センサベース４５の後端側の部分が凹み、中央部及び前Ｆ側よりも厚さが薄くなることで形成されている。
【００３８】
図５に戻って、突起部４５３は、図５に示すように、本体部４５０から上方に突出し、貫通孔４５１の後ろＢ側に配置される。すなわち、突起部４５３は、ベース凹部４５５のキャビネット本体３側の面に配置される（図７参照）。突起部４５３は、仮固定部４５４を有するように形成される。突起部４５３は、貫通孔４５１の後端の周囲の縁から三方向、すなわち貫通孔４５１の左右方向における一方及び他方の側壁４５３ｂ、４５３ｃと、貫通孔４５１の後端部側の後壁４５３ｄと、から上方へ突出し、これら三方向から起立した壁が上方で接続されるように上面４５３ａを形成する。側壁４５３ｂ、４５３ｃ及び後壁４５３ｄの間の角は、切り欠かれている。突起部４５３は、センサベース４５が底面部３３に固定された状態で、底面部３３の挿通孔３３１内に収容される。
【００３９】
仮固定部４５４は、貫通孔４５１の左右方向における一方及び他方の側壁４５３ｂ、４５３ｃと、貫通孔４５１の後端部側の後壁４５３ｄと、上面４５３ａで囲まれる内側の空間である。仮固定部４５４には、配線４３２の端子４３１ａが仮固定される。
【００４０】
制御部４３は、仕切り側面部３２ｂ及び３２ｃの上端部に配置される基板のＣＰＵである。また、制御部４３は、センサ部４２の検知結果に基づいて、発光部４１の発光を制御する。
【００４１】
表示板５は、第１ミラー扉２１の下縁の幅方向における一方側に設けられる。表示板５は、センサ部４２の位置を示す目印である。表示板５は、略台形形状で、下底が第１ミラー扉２１の下縁に沿うように配置される。表示板５は、第１ミラー扉２１の下端部に接着されて取り付けられる。
【００４２】
次に、図７及び図８を参照して、センサ部４２の取り付け方法について説明する。
図７は、センサ部４２を取り付けている状態の側面断面図である。図８はセンサ部４２を取り付けた底面部３３及びセンサ部４２の分解斜視図である。
【００４３】
図７に示すように、まず、センサ部４２のセンサベース４５のねじ留め用孔４５２にねじを挿通し、底面部３３にセンサベース４５を締結して固定する。
ミラーキャビネット１には、内部に予め制御部４３及び発光部４１等を接続した配線４３２が配置され、端部に配線４３２の端子４３１ａが設けられている。
そこで、端子４３１ａを、センサ部４２内のセンサ本体４３０から延びる配線４３２の端子４３１ｂと繋げる。センサベース４５の上面には、突起部４５３が形成され、突起部４５３の内側に、仮固定部４５４が形成されている。このため、作業時に端子４３１ａが上方へ上がってミラーキャビネット１の内部に戻りそうになるときには、仮固定部４５４の上面４５３ａに引っ掛かって仮固定され、それより上への移動が防止される。
【００４４】
また、センサベース４５は、所定の強度を確保するため、ねじ留め用孔４５２の形成されたセンサベース４５の前Ｆ側は厚くなっているが、後ろＢ側には前Ｆ側よりも薄くなったベース凹部４５５が形成されている。このため、貫通孔４５１に指を挿入して端子４３１ａを取り出そうとするときに、上方にある配線４３２や端子４３１ａに近付きやすい。
【００４５】
端子４３１ａは、センサ本体４３０から延びている端子４３１ｂと接続される。そして、センサ部４２のケーシング４４内に収納される。
【００４６】
図８に示すように、底面部３３に形成されている挿通孔３３１は、底面部３３の面方向に延びている。このため、端子４３１ａから延びる配線４３２は、底面部３３の上面側ではなく、内部を面方向に沿って通り、背板部３１側で視認されない位置に配置される。
【００４７】
次に、ケーシング４４を、センサベース４５の前方から後方へ近づけて、ケーシング４４の内側縁をセンサベースの外側縁に沿ってスライドさせる。詳細には、センサベース４５の外側縁にケーシング４４の側面４４ｃ及び側面４４ｄの内側縁を押しつけるようにして手前から奥側へ移動させる。すると、ケーシング４４の側面４４ｃ及び側面４４ｄの内面に形成されている爪部４４１が、センサベース４５の爪係合凹部４５６に係合し、パチンと嵌まる。このように、ケーシング４４及びセンサベース４５を互いに係合させる係合部４００が爪部４１１及び爪係合凹部４５６により構成される。そして、ケーシング４４がセンサベース４５を介してキャビネット本体３に着脱可能に取り付けられる。
【００４８】
なお、スライドさせるとき、ケーシング４４の後面４４ｆの上端は、前面４４ｅ、一対の側面４４ｃ、４４ｄよりも低くなっているので、センサベース４５が取り付けられていても、前Ｆ側から後ろＢ側へスライド移動させるときに、後面４４ｆがセンサベース４５にぶつかりにくい。また、後面４４ｆと、一対の側面４４ｃ、４４ｄとでコの字状の切り欠きが形成されるので、一対の側面４４ｃ、４４ｄによってスライドする方向をガイドさせやすい。
【００４９】
本実施形態によれば、以下の効果が奏される。
本実施形態では、ミラーキャビネット１を、物体の近接及び動きを検知するセンサ部４２を有する照明装置４と、照明装置４が取り付けられるキャビネット本体３と、を含んで構成した。また、センサ部４２を、キャビネット本体３に取り付けられるセンサベース４５と、センサベース４５に着脱可能なケーシング４４と、センサベース４５及びケーシング４４を互いに係合させる係合部４００と、を含んで構成した。
本実施形態では、センサ部４２をキャビネット本体３に取り付ける際に、専用の金具や、専用の金具を取り扱う工具等を必要とせずに、センサベース４５及びケーシング４４を互いに係合させる係合部４００により取り付けることができる。このため、センサ部４２が故障等した場合に、交換や修理等のメンテナンス作業が容易になる。
【００５０】
本実施形態によれば、係合部４００を、ケーシング４４に設けられ、センサベース４５に係合可能な爪部４４１と、センサベース４５に形成され、爪部４４１が係合する爪係合凹部４５６と、により構成した。
本実施形態では、係合部４００が爪部４４１及び爪係合凹部４５６の単純な形状で構成されるため、係合部４００を有するケーシング４４やセンサベース４５の製造が容易であるとともに、取り付け作業も容易かつわかりやすい。
【００５１】
本実施形態によれば、センサベース４５を取り付けるキャビネット本体３の取り付け面を、略水平面又は略鉛直面とした。これにより、ミラーキャビネット１の構成や、三面鏡であるか一面鏡であるか、開閉式であるか引き戸式であるかにかかわらず、所望の位置にセンサ部４２を取り付けることができる。したがって、様々な構成のミラーキャビネットにおいて、センサ部４２が故障等した場合に、交換や修理等のメンテナンス作業が容易になる。
【００５２】
本実施形態によれば、底面部３３に、照明装置４の配線４３２が挿通される挿通孔３３１を形成した。また、センサベース４５を、配線４３２が挿通される貫通孔４５１が形成された本体部４５０と、本体部４５０から突出する突起部４５３と、を含んで構成し、突起部４５３を、センサベース４５が底面部３３に取り付けられた状態で挿通孔３３１内に収容され、且つ、配線４３２の端子４３１ａを仮固定可能な仮固定部４５４を含んで構成した。
ミラーキャビネット１の出荷の際、キャビネット本体３内部に配置されている配線４３２の端部に設けられている端子４３１ａが、運搬中にキャビネット本体３の奥の方へ潜って行ってしまう場合がある。しかし、本実施形態によれば、センサベースの突起部４５３の内側に仮固定部４５４が形成されているので、端子４３１ａを仮固定部４５４内に収めた状態で運搬でき、端子４３１ａを仮固定しておくことができる。すると、取り付け作業時にすぐに端子４３１ａを取り出すことができるので、作業性が向上する。
また、キャビネット本体３内部に配置されている配線４３２をセンサ部４２から延びる配線４３２と接続する際に、端子４３１ａを摘まんで取り出そうとするとき、端子４３１ａが指等に当たって上へ戻ってしまうようなことがある。しかし、本実施形態によれば、突起部４５３が仮固定部４５４を有しているので、端子４３１ａを仮固定部内で仮に固定させることができ、さらに作業性が向上する。
【００５３】
本実施形態によれば、本体部４５０を、板状に形成し、ケーシング４４側の面に、キャビネット本体３側に凹むベース凹部４５５を形成した。また、突起部４５３を、ベース凹部４５５におけるキャビネット本体３側に配置した。本体部４５０は、ねじ留めにより底面部３３に締結されるため、ねじを隠す所定の厚みと強度を必要とするが、本体部４５０が厚いと端子４３１ａを取り出す作業がしづらくなる。本実施形態によれば、本体部４５０にベース凹部４５５が形成されているので、強度を確保する厚みを備える一方で、端子４３１ａを取り出す作業を行う位置の厚さを薄くすることができ、作業性が向上する。また、突起部４５３が、ベース凹部４５５の上に位置しているので、厚みが薄くなっているベース凹部４５５側で端子４３１ａを取り出す作業を行い、突起部４５３の仮固定部４５４を利用できるので、作業性が向上する。
【００５４】
本実施形態によれば、センサベース４５及びケーシング４４を、弾性変形可能な部材で構成した。また、ケーシング４４の内側縁をセンサベース４５の外側縁に沿ってスライドさせることでケーシング４４をセンサベース４５に係合させた。これにより、ケーシング４４をセンサベース４５に合わせて移動させるだけでケーシング４４がセンサベース４５に係合するので、容易にセンサ部４２をキャビネット本体３に取り付けることができる。
【００５５】
なお、本発明は上記実施形態に限定されるものではなく、本発明の目的を達成できる範囲での変形、改良等は本発明に含まれる。
例えば、上記実施形態では、センサベース４５を取り付ける取り付け面としての底面部３３は略水平面であり、床等の洗面化粧台の設置面と略平行であるが、これに限られない。例えば、キャビネット本体３の略鉛直方向に配置されている面に取り付けられていてもよい。略鉛直方向に配置されている面の例としては、側面部３２や、ミラー部２の裏面、また、ミラー部２を一面鏡として構成した場合には、ミラー部の扉を開けた内側に配置する幕板等が例示できる。
【００５６】
また、上記実施形態では、係合部４００は、ケーシング４４に形成される爪部４１１及びセンサベース４５に形成される爪係合凹部４５６により構成されているが、これに限られない。ケーシング側に凹部が形成され、センサベース側に爪部等の突起が形成されていてもよい。また、係合部は、爪部のような突起と突起に対応する凹部との組み合わせに限られない。センサベース又はケーシングの側面に溝を形成して、蓋のように回し嵌める等、センサベースとケーシングが着脱可能に係合することを可能にする構成であれば、限定されない。
【００５７】
また、上記実施形態では、洗面化粧台１００に設けられるミラーキャビネットを例に説明したが、これに限られない。洗面ボウルや水栓等の洗面施設が設けられていないミラーキャビネットに用いられてもよい。
【符号の説明】
【００５８】
１    ミラーキャビネット
３    キャビネット本体
４    照明装置
４２  センサ部
４５  センサベース
３３１  挿通孔
４３１ａ、４３１ｂ  端子
４００  係合部
４４１  爪部
４５０  本体部
４５１  貫通孔
４５３  突起部
４５４  仮固定部
４５５  ベース凹部（凹部）
４５６  爪係合凹部
４３２  配線
【図１】
2018089181.tif 000003
【図２】
2018089181.tif 000004
【図３】
2018089181.tif 000005
【図４】
2018089181.tif 000006
【図５】
2018089181.tif 000007
【図６】
2018089181.tif 000008
【図７】
2018089181.tif 000009
【図８】
2018089181.tif 000010